(57)【要約】【課題】  実際のボールをショットする場合と同様の感覚でゴルフスイングを練習できる打撃練習具を簡易な構造で実現する。【解決手段】  ゴルフクラブのフェース面が当接すべき薄板状のターゲット部Ｔと、ターゲット部の下端に張り出すことによりターゲット部を支持する座部３Ａ（３Ｂ）からなり、上記ターゲット部と座部を薄板状素材により一体に形成する。【選択図】      図２
0003122773.tif 000002
【実用新案登録請求の範囲】
【請求項１】
ゴルフクラブのフェース面が当接すべき薄板状のターゲット部と、ターゲット部の下端に張り出すことによりターゲット部を支持する座部からなり、上記ターゲット部と座部を一体に形成したことを特徴とするゴルフ用打撃練習具。
【請求項２】
２枚のシート材の上端から下端にかけた中途個所を張り合わせることにより薄板状のターゲット部とし、ターゲット部から下端にかけた残余個所を倒立Ｔ字状に互いに反対方向に折り曲げることにより座部とした請求項１記載のゴルフ用打撃練習具。
【請求項３】
シート材を二つ折りにして折れ目から端部にかけた中途個所を張り合わせることにより薄板状のターゲット部とし、ターゲット部から端部にかけた残余個所を倒立Ｔ字状に互いに反対方向に折り曲げることにより座部とした請求項１記載のゴルフ用打撃練習具。
【請求項４】
シート材をＬ字状に折り曲げることにより薄板状のターゲット部と座部とした請求項１記載のゴルフ用打撃練習具。
【請求項５】
シート材は紙片にプラスチックフィルムを積層した構成からなる請求項１から４の何れかに記載のゴルフ用打撃練習具。
【請求項６】
薄板状のターゲット部の下端から座部が倒立Ｔ字状に互いに反対方向に張り出した形状の練習具を樹脂素材による一体成型により得た請求項１記載のゴルフ用打撃練習具。
【請求項７】
座部の裏面に粘着手段を設けた請求項１から６の何れかに記載のゴルフ用打撃練習具。
【請求項８】
座部の裏面に係着手段を設けた請求項１から６の何れかに記載のゴルフ用打撃練習具。
【請求項９】
座部を上から覆う形状を有すると共に打撃練習具のターゲット部が挿通可能なスリットを設け、裏面には粘着手段を設けたシート材を組み合わせた請求項１から８の何れかに記載のゴルフ用打撃練習具。
【請求項１０】
底面シートと上記底面シートに重ねる上面シートからなり、上面シートには打撃練習具のターゲット部が挿通可能なスリットを設けたゴルフ用マット部材を組み合わせた請求項１から８の何れかに記載のゴルフ用打撃練習具。
【考案の詳細な説明】
【技術分野】
【０００１】
この考案はゴルフ用の打撃練習具に関し、より詳細には実際のボールをショットする場合と同様の感覚でゴルフスイングを練習できる打撃練習具に関する。
【背景技術】
【０００２】
ゴルフのスイングを練習するには、実際のボールを打ちっぱなしにできるゴルフ練習場に通うことが望ましいことが勿論であるが、例えば仕事の休み時間や一寸開いた時間を利用して空きスペースや自宅の庭で素振りの練習を行うことがよく行われている。この場合に、単なる素振りでなくゴルフボールのダミーとなる被打撃部材（以下、本願明細書ではこのような被打撃部材を「ターゲット」と称することとする。）をショットすることにより、実際のボールのショットと同様の感覚で練習できることを目指した打撃練習具が古くから多数の提案されている。
【０００３】
この種の練習具としては、例えば特許文献１に記載の考案のように紐付きのダミーボールをターゲットとしてショットする形式のものと、例えば特許文献２、３に記載の考案のように揺動又は回動するアーム端に設けたダミーボールをターゲットとしてショットする形式のものが公知である。
【特許文献１】実開平６−２３５６４号公報
【特許文献２】実用新案公開平５−７６４７８号公報
【特許文献３】登録実用新案第３０１１６２５号公報
【考案の開示】
【考案が解決しようとする課題】
【０００４】
しかしながら、前記の練習具においては、ショットされるターゲットはボール状のものではあるが、前者の形式のものは紐により飛距離が、後者の形式のものはアームにより飛行軌跡が規制されているので球筋を再現することはできない。よって、練習者は自分のショットが良かったのか悪かったのかを判断することができないという問題があった。又、何れの形式のものもそれなりの機構と大きさ及び重さを有しており、常時携帯して必要に応じて取り出して使用するといった類のものではなく、又、価格もそれなりに嵩むものであった。
【課題を解決するための手段】
【０００５】
この考案は以上の課題を解決したゴルフ用打撃練習具を提供することを目的としたものであり、ゴルフクラブのフェース面が当接すべき薄板状のターゲット部と、ターゲット部の下端に張り出すことによりターゲット部を支持する座部からなり、上記ターゲット部と座部を一体に形成したことを特徴とする。
【０００６】
上記の練習具には次の構成のものが含まれる。
(1) ２枚のシート材の上端から下端にかけた中途個所を張り合わせることにより薄板状のターゲット部とし、ターゲット部から下端にかけた残余個所を倒立Ｔ字状に互いに反対方向に折り曲げることにより座部とした構成。
(2) シート材を二つ折りにして折れ目から端部にかけた中途個所を張り合わせることにより薄板状のターゲット部とし、ターゲット部から端部にかけた残余個所を倒立Ｔ字状に互いに反対方向に折り曲げることにより座部とした構成。
(3) シート材をＬ字状に折り曲げることにより薄板状のターゲット部と座部とした構成。
(4) 薄板状のターゲット部の下端から座部が倒立Ｔ字状に互いに反対方向に張り出した形状の練習具を樹脂素材による一体成型により得た構成。
【０００７】
ターゲット部を構成する薄板状の部材としては、例えば紙片や、紙片にプラスチックフィルムを積層したものや、プラスチック、エラストマー等からなるシート材の他、適度な可撓性及び復元性を有する限り、樹脂を薄板状に一体成型したものであってもよい。
【考案の効果】
【０００８】
この考案の練習具は、ゴルフクラブのフェース面がターゲット部に当接した際に、それが薄板状に構成されていることからフェース面に沿って撓み、面として接触する点に特徴を有する。
【０００９】
その結果、ゴルフクラブのフェース面がみごとに芯を捉えるような良好なショットの場合は、フェース面は面としてターゲット部に当接してそれを打撃し、大きな衝撃音が発生することになる。一方、フェース面が開いたり、ターゲット部をかすったような不良なショットの場合は、面として当接しないので大きな衝撃音は発生しない。実際に実験をしてみると、上記の衝撃音は実際のボールの芯を正確に捉えたナイスショット時に発する快音と似ており、練習者はこの快音の有無により自分のショットが良かったのか悪かったのかを判断することができる。この場合、フェース面がターゲットの上方をかすった場合はターゲットが細かく振動して震えたような打撃音が、ターゲットに対しフェース面が下過ぎる場合は座面を打撃するので鈍い打撃音がするので、ナイスショット時の抜けるような乾いた快音とこれらを比較することにより練習者やインストラクターはショットのどこが具体的に悪かったかを知ることができる。
【００１０】
ダミーボールをターゲットとしてショットする従来技術の練習具には、前記のような面として当接させるという発想はなく、前記のような作用・効果を得ることはできない。
【００１１】
一方、この考案の練習具は薄板状素材によりターゲット部と座部を一体に形成した簡易な構成により実現されので、極めて低コストで製作でき、更にターゲット部と座部を折り畳んで携帯することが可能となることから、常時携帯して必要に応じて取り出して使用するといった、従来の練習具では考えられなかった使用環境が実現できる。
【００１２】
同様の理由から封筒などで郵送することも可能となり、極めて低コストで製作できることからノベルティーとしても最適な製品が実現できる。
【００１３】
又、薄板状素材により構成されることから、表面に模様や文字を印刷により簡単に施すことができ、情報量も多くのものを盛り込むことができ、広告媒体としても最適な製品が実現できる。
【考案を実施するための最良の形態】
【００１４】
以下、この考案の具体的実施例を添付図面に基づいて説明する。図１乃至図４はこの考案のゴルフ用打撃練習具の第１実施例を示す図である。この実施例においては練習具Ｇは２枚のシート材１Ａ、１Ｂの上端から下端にかけた中途個所２Ａ（２Ｂ）を張り合わせることによりゴルフクラブのフェース面が当接すべき薄板状のターゲット部Ｔとし、その下端の残余部分をターゲット部を支持する座部３Ａ（３Ｂ）とし（図３参照）、図１及び図２に示すようにターゲット部の背部同士を貼り合わせると共に、座部をＴ字状に互いに反対方向に折り曲げることにより練習具Ｇを得る。
【００１５】
尚、上記の変形例として、練習具を２枚のシート材で構成せず、シート材を二つ折りにして折れ目から端部にかけた中途個所を張り合わせることにより薄板状のターゲット部とし、ターゲット部から端部にかけた残余個所をＴ字状に互いに反対方向に折り曲げることにより座部としたものであってもよい。
【００１６】
シート材１Ａ（１Ｂ）として、この実施例では紙片Ｓの表面に例えばＯＰＰ等のプラスチックフィルムＦを積層したものを想定しているが（図４参照）、素材はこれに限られず、適度な可撓性及び復元性を有する限り、例えば紙片単独や、プラスチックやエラストマー等のその他の素材であってもよいことは勿論である。又、強度を増すために、ガラス繊維シートにプラスチックフィルムを積層したものであってもよい。
【００１７】
尚、この実施例においてはシート材１Ａ（１Ｂ）のターゲット部Ｔをゴルフボールを象った半円状とすると共に、中央にゴルフボールの図柄Ｂを印刷し、更に座部３Ａ（３Ｂ）の表面にショット時の目印となるラインＬを印刷することにより視覚的効果を高めている。
【００１８】
以上の練習具Ｇの使用にあたってはそれを適当な支持部材に支持しなくてはならないが、この実施例においてはシート材１Ａ（１Ｂ）の裏面に粘着材を設けることにより支持部材に粘着固定する手段としている。この場合、粘着材に代わりベルベットファスナー等の係着具を採用すれば必要に応じて支持部材から着脱することが可能となる。
【００１９】
尚、支持部材として例えば段ボールを使用し、その表面にこの考案の練習具を粘着固定すると打撃時に段ボールが共鳴してより大きな打撃音を得ることができる。
【００２０】
図５はこの考案のゴルフ用打撃練習具の第２実施例を示す図である。この実施例においては、座部を上から覆う形状を有すると共に打撃練習具のターゲット部Ｔが挿通可能なスリット１１を設け、裏面には粘着部材を設けたシート材１０を練習具と組み合わせている。この実施例によれば、シート材１０のスリット１１に練習具Ｇのターゲット部Ｔを貫通させてシート材を練習具の座部３Ａ（３Ｂ）に重ねて支持部材へ粘着固定すれば、練習具Ｇの支持部材への固定がより確実になる。
【００２１】
図６乃至図８はこの考案のゴルフ用打撃練習具の第３実施例を示す図である。この実施例においては、底面シート２１と上記底面シートに重ねる上面シート２２からなり、上面シートには練習具のターゲット部Ｔが挿通可能なスリット２３を設けたゴルフ用マット部材２０を支持部材として練習具Ｇと組み合わせている。ここではマット部材２０としてゴム製の底面シート２１に人工芝マットからなる上面シート２２を重ねたものを想定しているが、素材はこれらに限られないことは勿論である。この実施例によれば、マット部材２０の上面シート２２を捲って練習具Ｇを底面シート２１との間に挿入し、上面シートのスリット２３に練習具のターゲット部Ｔを貫通させた状態でマット部材の上下のシート間に練習具を挟み込めば、ゴルフ用マット部材を練習具の支持部材として利用できる。
【００２２】
図９はこの考案のゴルフ用打撃練習具の第４実施例を示す図である。この実施例においては、シート材をＬ字状に折り曲げることによりターゲット部３３と座部３２として練習具Ｇを得ている。この実施例のその余の構成は前記の第１実施例の場合と同様なので詳細な説明は省略する。
【００２３】
図１０はこの考案のゴルフ用打撃練習具の第５実施例を示す図である。この実施例においては、薄板状のターゲット部Ｔの下端から座部３３Ａ、３３Ｂが倒立Ｔ字状に互いに反対方向に張り出した形状の練習具Ｇを樹脂素材による一体成型により得ている。尚、樹脂素材としてここではここではポリカーボネートを採用しているが、その他の素材であってもよいことは勿論である。この実施例のその余の構成は前記の第１実施例の場合と同様なので詳細な説明は省略する。
【図面の簡単な説明】
【００２４】
【図１】この考案のゴルフ用打撃練習具の第１実施例の分解斜視図。
【図２】同上、斜視図。
【図３】同上、分解平面図。
【図４】同上、シート材の断面図。
【図５】この考案のゴルフ用打撃練習具の第２実施例の斜視図。
【図６】この考案のゴルフ用打撃練習具の第３実施例の使用状態を示す斜視図。
【図７】同上、使用状態を示す斜視図。
【図８】同上、斜視図。
【図９】この考案のゴルフ用打撃練習具の第４実施例の斜視図。
【図１０】この考案のゴルフ用打撃練習具の第５実施例の斜視図。
【符号の説明】
【００２５】
Ｇ      練習具
Ｔ      ターゲット部
１Ａ    シート材
１Ｂ    シート材
２Ａ    中途個所
２Ｂ    中途個所
３Ａ    座部
３Ｂ    座部
【図１】
0003122773.tif 000003
【図２】
0003122773.tif 000004
【図３】
0003122773.tif 000005
【図４】
0003122773.tif 000006
【図５】
0003122773.tif 000007
【図６】
0003122773.tif 000008
【図７】
0003122773.tif 000009
【図８】
0003122773.tif 000010
【図９】
0003122773.tif 000011
【図１０】
0003122773.tif 000012